(57)【特許請求の範囲】
【請求項１】
開口枠の一辺に沿った回動軸周りに開閉する障子を前記開口枠に対してロックするロック装置であって、
前記開口枠又は前記障子の框に対して取り付けされるベース部材と、
前記ベース部材に対して移動可能に支持され、前記障子の框又は前記開口枠に固定された受け部材と係合可能なフック部材と、
前記開口枠又は前記障子の框に対してスライド可能に支持され、前記開口枠又は前記障子の框に設けられた操作部材の操作力を受けてスライドすることで前記フック部材を移動させる連動部材と、
を備え、
前記フック部材は、その移動方向で一端側及び他端側にガイドピン又は長孔をそれぞれ有し、
前記ベース部材は、前記フック部材の一端側及び他端側に設けられたガイドピン又は長孔に摺動可能に係合する長孔又はガイドピンをそれぞれ有し、
少なくとも一方の長孔は、前記ガイドピンの摺動始点と摺動終点の位置が見込み方向で位置ずれしていることを特徴とするロック装置。
【請求項２】
請求項１記載のロック装置において、
前記ベース部材は、樹脂製であることを特徴とするロック装置。
【請求項３】
請求項２記載のロック装置において、
前記ベース部材に少なくとも１つの長孔が設けられている場合に、
前記ベース部材の少なくとも１つの長孔を縁取る開口部を有し、前記ベース部材の少なくとも一部を覆うように該ベース部材と共に前記開口枠又は前記障子の框に対して取り付けされる金属製のカバー部材を備えることを特徴とするロック装置。
【請求項４】
請求項３記載のロック装置において、
前記カバー部材は、前記受け部材と並んで前記障子の框又は前記開口枠に固定された係合片が係合可能な凹部を有することを特徴とするロック装置。
【請求項５】
請求項１〜４のいずれか１項に記載のロック装置が取り付けされた前記開口枠と、該開口枠に対して開閉可能に支持され、前記框に前記受け部材が固定された障子とを備えることを特徴とする建具。
【請求項６】
請求項５記載の建具において、
前記ベース部材は、前記開口枠に対する見込み方向の取付位置を調整可能な取付孔を用いて前記開口枠に対してねじ止め固定されることを特徴とする建具。
【請求項７】
請求項６記載の建具において、
前記連動部材は、前記ベース部材とは別体で前記開口枠に対して支持され、
前記フック部材は、前記連動部材に対して見込み方向に相対移動可能な状態で連結されていることを特徴とする建具。
【請求項８】
請求項７記載の建具において、
前記連動部材は、室外側を向くように前記開口枠に設けられたポケット部に配設されることを特徴とする建具。
【発明の詳細な説明】
【技術分野】
【０００１】
本発明は、開口枠の一辺に沿った軸周りに開閉する障子を開口枠に対してロックするロック装置及び該ロック装置を備える建具に関する。
【背景技術】
【０００２】
店舗や住宅等の建物に設けられる窓や扉では、躯体の開口部に固定された開口枠の一辺、例えば縦枠や上枠に沿った回動軸周りに障子が開閉する建具が広く用いられている。この種の建具には、例えば縦すべり出し窓やすべり出し窓の他、各種の開閉窓や開閉扉があり、一般に障子の戸先框と開口枠との間に両者間をロックするロック装置が設けられる。
【０００３】
このようなロック装置に関し、例えば特許文献１には、室内側の操作部材の上下操作に連動してフック部材を回動させつつ上下動させることにより、障子の戸先框に設けられた受け部材をフック部材で引き寄せつつロックする構成が開示されている。
【先行技術文献】
【特許文献】
【０００４】
【特許文献１】特開２００１−２７９９８３号公報
【発明の概要】
【発明が解決しようとする課題】
【０００５】
特許文献１の構成では、上記のように回動しつつ上下動するフック部材による引き寄せ作用により、障子を開口枠に対して確実に密着させて閉じた状態とすることができ、障子の締り具合がよく、操作性も良好である。ところが、この構成では操作部材の操作を受けてフック部材を移動させる連動部材に対してフック部材の一端側が軸支されると共に、フック部材の他端側は開口枠側に固定された溝状のカムに対してカムフォロアを介して摺動可能に係合しているため、各部品構造が複雑化し、コストが高い。しかも、連動部材とフック部材とが軸によって連結されていることから、ロック装置の開口枠に対する取付位置の調整が困難であり、施工作業の作業性に劣る。
【０００６】
本発明は、上記従来技術の課題を考慮してなされたものであり、部品構造を簡素化してコストを低減することができ、しかも施工作業も容易に行うことができるロック装置及び該ロック装置を備える建具を提供することを目的とする。
【課題を解決するための手段】
【０００７】
本発明に係るロック装置は、開口枠の一辺に沿った回動軸周りに開閉する障子を前記開口枠に対してロックするロック装置であって、前記開口枠又は前記障子の框に対して取り付けされるベース部材と、前記ベース部材に対して移動可能に支持され、前記障子の框又は前記開口枠に固定された受け部材と係合可能なフック部材と、前記開口枠又は前記障子の框に対してスライド可能に支持され、前記開口枠又は前記障子の框に設けられた操作部材の操作力を受けてスライドすることで前記フック部材を移動させる連動部材とを備え、前記フック部材は、その移動方向で一端側及び他端側にガイドピン又は長孔をそれぞれ有し、前記ベース部材は、前記フック部材の一端側及び他端側に設けられたガイドピン又は長孔に摺動可能に係合する長孔又はガイドピンをそれぞれ有し、少なくとも一方の長孔は、前記ガイドピンの摺動始点と摺動終点の位置が見込み方向で位置ずれしていることを特徴とする。
【０００８】
このような構成によれば、ベース部材又はフック部材に設けられた少なくとも一方の長孔のガイドピンの摺動始点と摺動終点の位置を見込み方向で位置ずれさせたことにより、フック部材に設けたガイドピンをガイドするための長孔をベース部材に設けただけの簡素な構造で障子を開口枠に対して引き寄せながらロックすることができ、コストを低減できる。しかも、フック部材をベース部材で支持し、連動部材を開口枠で支持する構成としたため、ベース部材及びフック部材の取付位置の調整をロック操作部に対しての位置決めが必要な連動部材とは別に行うことができ、施工作業が容易となる。
【０００９】
本発明に係るロック装置において、前記ベース部材は、樹脂製であってもよい。そうすると、ベース部材の成形性がよく、また長孔の周縁部とガイドピンとの摺接が円滑になると同時に摺接時の騒音の発生を抑制することができ、製品品質が高い。
【００１０】
本発明に係るロック装置において、前記ベース部材に少なくとも１つの長孔が設けられている場合に、前記ベース部材の少なくとも１つの長孔を縁取る開口部を有し、前記ベース部材の少なくとも一部を覆うように該ベース部材と共に前記開口枠又は前記障子の框に対して取り付けされる金属製のカバー部材を備える構成としてもよい。そうすると、当該ロック装置で障子をロックした状態で該障子に対し、例えば開き方向の外力が付与され、樹脂製のベース部材の長孔の周縁部に対してガイドピンが強く押し付けられた場合であっても、金属製のカバー部材の開口部によって長孔を補強してガイドピンを支持することができる。このため、上記のような開き方向の外力が障子に付与された場合であっても、ロック装置が破損して意図せずにロックが解除されることを防止できる。
【００１１】
本発明に係るロック装置において、前記カバー部材は、前記受け部材と並んで前記障子の框又は前記開口枠に固定された係合片が係合可能な凹部を有する構成であってもよい。そうすると、障子が閉じられた際に係合片が凹部に係合した状態となることで、例えば閉じられた障子に面内方向の外力が付与された場合であっても、金属製の係合片を金属製のカバー部材で支持しておくことができ、高い防犯性能を有する。
【００１２】
また、本発明に係る建具は、上記構成のロック装置が取り付けされた前記開口枠と、該開口枠に対して開閉可能に支持され、前記框に前記受け部材が固定された障子とを備えることを特徴とする。
【００１３】
本発明に係る建具において、前記ベース部材は、前記開口枠に対する見込み方向の取付位置を調整可能な取付孔を用いて前記開口枠に対してねじ止め固定される構成であってもよい。そうすると、障子側の受け部材と開口枠側のロック装置との間の見込み方向での位置調整を容易に行うことができる。しかも、室外側に障子が開く構造の建具では、施工現場で例えば障子の戸先框に設けた受け部材の位置調整を行うことは、その取付部を視認することが難しく、開口枠を通して室外側に腕を伸ばして行う必要があって作業性が悪い。これに対し、当該建具では、室内側からの取付作業が容易な開口枠に対してロック装置のベース部材の位置調整を行うことができるため、施工現場での位置調整が容易である。
【００１４】
本発明に係る建具において、前記連動部材は、前記ベース部材とは別体で前記開口枠に対して支持され、前記フック部材は、前記連動部材に対して見込み方向に相対移動可能な状態で連結された構成であってもよい。そうすると、ベース部材の見込み方向の位置調整時に連動部材とロック部材との間の連結状態が障害になることがない。
【００１５】
本発明に係る建具において、前記連動部材は、室外側を向くように前記開口枠に設けられたポケット部に配設される構成であってもよい。そうすると、室内側から連動部材が視認されることを回避でき、建具の見栄えが向上する。
【発明の効果】
【００１６】
本発明によれば、簡素な構造で障子を開口枠に対して引き寄せながらロックすることができ、コストを低減できる。しかも、ベース部材及びフック部材の取付位置の調整をロック操作部に対しての位置決めが必要な連動部材とは別に行うことができ、施工作業が容易となる。
【図面の簡単な説明】
【００１７】
【図１】図１は、本発明の一実施形態に係るロック装置を備えた建具を室外側から見た斜視図である。
【図２】図２は、ロック装置の分解斜視図である。
【図３】図３は、図２に示すロック装置を組み立てた状態での構成図である。
【図４】図４は、図２に示すロック装置を拡大した分解斜視図である。
【図５】図５は、ベース部材の正面図であり、図５（Ａ）は、フック部材がロック解除位置にある状態を示す図であり、図５（Ｂ）は、フック部材がロック位置にある状態を示す図である。
【図６】図６は、障子が開いた状態での建具のロック装置付近を拡大した横断面図である。
【図７】図７は、図６に示す状態から障子を閉じた状態での建具のロック装置付近を拡大した横断面図である。
【図８】図８は、ロック装置によるロック動作を説明する図であり、図８（Ａ）は、ロック装置がロック解除状態にあって障子を閉じ操作している状態を示す図であり、図８（Ｂ）は、図８（Ａ）に示す状態から障子を閉じた状態を示す図であり、図８（Ｃ）は、図８（Ｂ）に示す状態からロック装置をロック状態にした状態を示す図である。
【図９】図９は、第１変形例に係るロック装置の構成図であり、図９（Ａ）は、ベース部材及びカバー部材の正面図であり、図９（Ｂ）は、フック部材の正面図であり、図９（Ｃ）は、フック部材がロック解除位置にある状態を示す図である。
【図１０】図１０は、第２変形例に係るロック装置の構成図であり、図１０（Ａ）は、ベース部材及びカバー部材の正面図であり、図１０（Ｂ）は、フック部材の正面図であり、図１０（Ｃ）は、フック部材がロック解除位置にある状態を示す図である。
【図１１】図１１は、第３変形例に係るロック装置の構成図であり、図１１（Ａ）は、ベース部材及びカバー部材の正面図であり、図１１（Ｂ）は、フック部材の正面図であり、図１１（Ｃ）は、フック部材がロック解除位置にある状態を示す図である。
【発明を実施するための形態】
【００１８】
以下、本発明に係るロック装置について、この装置を備えた建具との関係で好適な実施の形態を挙げ、添付の図面を参照しながら詳細に説明する。
【００１９】
図１は、本発明の一実施形態に係るロック装置１０を備えた建具１２を室外側から見た斜視図である。建具１２は、建物の躯体の開口部に固定される開口枠１４と、開口枠１４の一辺に沿った回動軸Ａ回りに開閉可能する障子１６とを備え、開口枠１４と障子１６との間を締り金具であるロック装置１０によって室内側からロックすることができる。
【００２０】
本実施形態では、開口枠１４に対して障子１６を室外側に開閉させる縦すべり出し窓の建具１２を例示するが、本発明はすべり出し窓の他、各種の開閉窓や開閉扉等に利用可能である。
【００２１】
開口枠１４は、上枠１４ａと、下枠１４ｂと、左右の縦枠１４ｃ，１４ｄとを四周枠組みすることで矩形の開口部を形成したものである。上枠１４ａ、下枠１４ｂ及び縦枠１４ｃ，１４ｄは、例えばアルミニウム等の金属材料の押出形材であるが、樹脂製や樹脂と金属の複合構造であってもよい。
【００２２】
下枠１４ｂの室内側見込み面には障子１６を開閉操作する際に操作するオペレータハンドル１８が配設されている。一方の縦枠１４ｄの室外側見込み面には障子１６の回動軸Ａとなるヒンジが設けられる。他方の縦枠１４ｃの室外側見込み面にはロック装置１０が取り付けられ、その室内側見込み面にはロック装置１０のロック操作及びロック解除操作に使用するレバー構造のロック操作部２０が設けられている。
【００２３】
障子１６は、上框１６ａ、下框１６ｂ、戸先框（縦框）１６ｃ及び吊元框（縦框）１６ｄを框組みし、ガラス板や樹脂板等の面材（図示せず）を保持したものである。上框１６ａ、下框１６ｂ及び縦框１６ｃ，１６ｄは、例えばアルミニウム等の金属の押出形材であるが、樹脂製や樹脂と金属の複合構造であってもよい。
【００２４】
吊元框１６ｄは、回動軸Ａを介して一方の縦枠１４ｄに対して回動可能に支持されている。下框１６ｂには、オペレータハンドル１８のアーム１８ａが連結されている。これにより、障子１６はアーム１８ａの支持作用下に開閉可能な状態で開口枠１４の内側に配設される。
【００２５】
戸先框１６ｃの見込み面には受け部材２２及び係合金具２４が並んで固定されている。受け部材２２は、障子１６が閉じられた状態でロック操作部２０が操作された場合にロック装置１０に係脱し、障子１６を開口枠１４に対して面外方向（障子１６の開き方向）にロック又はロック解除するものである。係合金具２４は、障子１６が閉じられた状態でロック装置１０に係合し、障子１６の面内方向（障子１６の見付け方向）の移動を阻止するものである。
【００２６】
次に、ロック装置１０の構成について説明する。
【００２７】
図２は、ロック装置１０の分解斜視図であり、図３は、図２に示すロック装置１０を組み立てた状態での構成図である。また、図４は、図２に示すロック装置１０を拡大した分解斜視図である。
【００２８】
図１〜図３に示すように、本実施形態の場合、ロック装置１０は、縦枠１４ｃの長手方向に沿って一対設けられている。これら一対のロック装置１０，１０は同一構造であり、共通のロック操作部２０が操作されると上下方向にスライドする連動部材２６を介して同期動作する。ロック装置１０は１個のみ設けられてもよく、３個以上設けられてもよい。以下では、図４も参照しながら上側のロック装置１０について代表的に説明し、下側のロック装置１０についての説明は原則省略する。
【００２９】
図４に示すように、ロック装置１０は、開口枠に対して取り付けされるベース部材２８と、ベース部材２８の略上半分を覆うように設けられるカバー部材３０と、ベース部材に対して移動可能に支持されるＪ字状のフック部材３２と、フック部材３２を移動させる連動部材２６とを備える。
【００３０】
ベース部材２８は、縦枠１４ｃの戸当たり５８（図６参照）よりも室外側の見込み面に対して取り付けされる樹脂製の板状部材である。ベース部材２８は、上方に配置される上側部位２８ａと下方に配置される下側部位２８ｂとの間を室内側に寄って設けられたブリッジ２８ｃで繋いだ構造である。上側部位２８ａと下側部位２８ｂとの間であってブリッジ２８ｃの室外側には、室外側を向いて開口したロック凹部２８ｄが設けられている。ロック凹部２８ｄは、上側部位２８ａと下側部位２８ｂの取付孔３４，３４間に設けられている。
【００３１】
ベース部材２８は、上側部位２８ａに上下一対形成された室内外方向に延びた取付孔３４，３４と、下側部位２８ｂの上部に形成された室内外方向に延びた取付孔３４との合計３つの取付孔３４を介して縦枠１４ｃにねじ止め固定される（図１参照）。
【００３２】
上側部位２８ａは、その室内側に寄った位置に上下方向で多少傾斜した長孔３６を有し、その室外側端面に室外側に開口した切欠部２８ｅを有する。長孔３６は、上側部位２８ａを板厚方向に貫通した貫通孔である。長孔３６は、下から上に向かって次第に室内側に傾斜した傾斜形状を有し、下端側の摺動始点３６ｂと上端側の摺動終点３６ｃの位置が見込み方向で位置ずれするように設定されている（図５も参照）。さらに長孔３６は、摺動始点３６ｂ近傍と摺動終点３６ｃ近傍に上下方向に沿った直線部分を有するため、摺動始点３６ｂ及び摺動終点３６ｃに位置しているフック部材３２のガイドピン５０をより安定して保持しておくことができる。長孔３６の周縁部にはリブ３６ａが突設されている。切欠部２８ｅは、取付孔３４，３４間に設けられている。
【００３３】
下側部位２８ｂは、その室内側に寄った位置に長孔３７を有する。長孔３７は、下側部位２８ｂを板厚方向に貫通した貫通孔である。長孔３７は、上下方向に沿った直線形状を有し、下端側の摺動始点３７ｂと上端側の摺動終点３７ｃの位置が見込み方向で一致するように設定されている（図５も参照）。長孔３７の周縁部にはリブ３７ａが突設されている。
【００３４】
カバー部材３０は、ベース部材２８の上側部位２８ａとブリッジ２８ｃと下側部位２８ｂの上部とを覆うように該ベース部材２８の上から重ねて設けられる金属製の薄板状部材である。カバー部材３０は、ベース部材２８の上側部位２８ａの略全体を覆う上カバー部３０ａと、下側部位２８ｂの上部を覆う下カバー部３０ｂとの間をブリッジ２８ｃを覆うブリッジカバー部３０ｃで繋いだ構造である。上カバー部３０ａと下カバー部３０ｂとの間であってブリッジカバー部３０ｃの室外側には、室外側を向いて開口したカバー凹部３０ｄが設けられている。
【００３５】
カバー部材３０は、上カバー部３０ａに上下一対形成された室内外方向に延びた取付孔４０，４０と、下カバー部３０ｂの上部に形成された室内外方向に延びた取付孔４０との合計３つの取付孔４０を有する。これにより、カバー部材３０は各取付孔４０がベース部材２８の各取付孔３４に対応配置されることで、ベース部材２８と共に縦枠１４ｃに対してねじ止め固定される（図１及び図３参照）。
【００３６】
上カバー部３０ａは、その室内側に寄った位置に上下方向で多少傾斜した開口部４２を有し、その室外側端面に膨出部３０ｅを有する。開口部４２は、ベース部材２８の長孔３６の外形を多少大きくした形状であって上カバー部３０ａを板厚方向に貫通した貫通孔であり、リブ３６ａに外挿されて長孔３６を縁取るように配置される（図３参照）。膨出部３０ｅは、ベース部材２８の切欠部２８ｅを蓋するように配置され、切欠部２８ｅと共に縦枠１４ｃの見込み面との間に障子１６側の係合金具２４を室外側から係脱可能な凹部４４を形成する。下カバー部３０ｂは、その室内側端面に切欠部４６を有する。切欠部４６は、ベース部材２８の長孔３７を縁取るリブ３７ａの室外側上部を室外側から支持するように配置される。
【００３７】
フック部材３２は、ベース部材２８及びカバー部材３０の上から重ねるように配設される金属製の薄板をＪ字状に成形した部材である。フック部材３２は、室内側で上下方向に延びた支持板部３２ａと、支持板部３２ａよりも短尺に形成され、室外側で上下方向に延びた先細り形状の爪部３２ｂとを有する。支持板部３２ａと爪部３２ｂとはその下端部同士が連結され、その間に上方に開口するロック凹部３２ｃを形成している。支持板部３２ａの下端部の室内側端面には、一旦裏面側に屈曲した後室内側へと突出した突出片３２ｄが設けられている。
【００３８】
支持板部３２ａの上端部及び下端部にはそれぞれ孔部４８，４９が形成されている。上端側の孔部４８にはベース部材２８の裏面側から長孔３６及びカバー部材３０の開口部４２を挿通したガイドピン５０が嵌挿されてかしめ固定され、下端側の孔部４９にはベース部材２８の裏面側から長孔３７を挿通したガイドピン５１が嵌挿されてかしめ固定される（図３も参照）。
【００３９】
図５は、ベース部材２８の正面図であり、図５（Ａ）は、フック部材３２がロック解除位置にある状態を示す図であり、図５（Ｂ）は、フック部材３２がロック位置にある状態を示す図である。
【００４０】
フック部材３２は、連動部材２６の上下方向へのスライドに伴い、各孔部４８，４９に固定された各ガイドピン５０，５１が各長孔３６，３７内を摺動することでそのガイド作用下に上下方向に移動する。この際、当該ロック装置１０がロック解錠状態にある場合は、連動部材２６がそのスライド範囲で最下方となる位置にあり、フック部材３２はガイドピン５０，５１がそれぞれ長孔３６，３７の下端側の摺動始点３６ｂ，３７ｂに位置したロック解除位置にある（図５（Ａ）参照）。一方、当該ロック装置１０がロック状態にある場合は、連動部材２６がそのスライド範囲で最上方となる位置にあり、フック部材３２はガイドピン５０，５１がそれぞれ長孔３６，３７の上端側の摺動始点３６ｃ，３７ｃに位置したロック位置にある（図５（Ｂ）参照）。
【００４１】
図２及び図３に示すように、連動部材２６は、縦枠１４ｃの長手方向に延び、断面Ｌ字状に形成された金属製の長尺な棒状部材である。連動部材２６は、ベース部材２８とは別体で縦枠１４ｃの見込み面に対して複数の軸受け部材５２を介して支持され、軸受け部材５２のガイド作用下に縦枠１４ｃの上下方向にスライド可能である。連動部材２６の室外側見付け面には、連動孔２６ａが上下一対設けられている。連動孔２６ａは、各ロック装置１０のフック部材３２の突出片３２ｄが室内外方向に摺動可能且つ上下方向に移動不能な状態で係合される矩形の貫通孔である。
【００４２】
連動部材２６の各ロック装置１０，１０間となる位置には、室内側に開口した駆動凹部５４ａを有する連動ブラケット５４がねじ５６を用いて固定される。駆動凹部５４ａには、縦枠１４ｃの室内側見込み面に固定されたロック操作部２０の操作レバー２０ａの端部に設けられた駆動ピン２０ｂが挿入される。これにより、操作レバー２０ａを押し下げると連動ブラケット５４を介して連動部材２６が上方にスライドし（ロック操作）、操作レバー２０ａを引き上げると連動ブラケット５４を介して連動部材２６が下方にスライドする（ロック解除操作）。
【００４３】
図６は、障子１６が開いた状態での建具１２のロック装置１０付近を拡大した横断面図であり、図７は、図６に示す状態から障子１６を閉じた状態での建具１２のロック装置１０付近を拡大した横断面図である。
【００４４】
図６及び図７に示すように、縦枠１４ｃには、その見込み面と戸当たり５８との間に、室外側を向いて上下方向に延びた凹状のポケット部５９が形成されている。連動部材２６は、上下方向にスライド可能な状態でポケット部５９内に収容配置される。これにより、室内側から連動部材２６が視認されることを回避でき、建具１２の見栄えが向上する。
【００４５】
次に、ロック装置１０に対して係脱動作する障子１６側の受け部材２２及び係合金具２４の構成を説明する。
【００４６】
図１及び図４に示すように、受け部材２２は、障子１６の戸先框１６ｃの見込み面に対して４つの固定孔２２ａを用いてねじ止め固定される薄板状の金具である。受け部材２２は、その略中央に形成された孔部２２ｂに対して嵌挿されたかしめ固定されることで、戸先框１６ｃの見込み面から突出する受けピン６０を有する。受けピン６０は、先端に拡径したフランジを有し、十分な強度を持った金属ピンである。受け部材２２は、障子１６を閉じた際に受けピン６０がロック装置１０のロック凹部２８ｄに挿入される位置に配置される。
【００４７】
係合金具２４は、戸先框１６ｃの見込み面に対して２つの固定孔２４ａを用いてねじ止め固定される固定板２４ｂと、固定板２４ｂの室外側端面から屈曲するように突出した係合片２４ｃとを有する。係合金具２４は、係合片２４ｃが室内側に向かって突出することで断面略Ｕ字状に形成された金具である（図６参照）。係合金具２４は、障子１６を閉じた際に係合片２４ｃがロック装置１０の凹部４４に係合する位置に配置される。
【００４８】
次に、ロック装置１０による障子１６のロック動作及びその作用を説明する。
【００４９】
図８は、ロック装置１０によるロック動作を説明する図であり、図８（Ａ）は、ロック装置１０がロック解除状態にあって障子１６を閉じ操作している状態を示す図であり、図８（Ｂ）は、図８（Ａ）に示す状態から障子１６を閉じた状態を示す図であり、図８（Ｃ）は、図８（Ｂ）に示す状態からロック装置１０をロック状態にした状態を示す図である。
【００５０】
ロック操作部２０の操作レバー２０ａが引き上げられた状態では、図８（Ａ）に示すようにロック装置１０はロック解錠状態にある。この状態では、連動部材２６が下動位置にあり、ガイドピン５０，５１がそれぞれ長孔３６，３７の下端側の摺動始点３６ｂ，３７ｂに位置することでフック部材３２がロック解除位置にある（図５（Ａ）も参照）。このため、フック部材３２の爪部３２ｂがロック凹部２８ｄ（及びカバー凹部３０ｄ）から退避した位置にあり、ロック凹部２８ｄが室外側に開口している。
【００５１】
この状態で障子１６を閉じ操作すると、障子１６の戸先框１６ｃに取り付けられた受け部材２２及び係合金具２４がロック装置１０に向かって移動する（図６及び図８（Ａ）参照）。そして障子１６の閉じ操作が完了すると、受け部材２２の受けピン６０がロック凹部２８ｄ内に挿入され、係合金具２４の係合片２４ｃが凹部４４に係合する（図８（Ｂ）参照）。
【００５２】
そこで、ロック装置１０をロック動作させるためにロック操作部２０の操作レバー２０ａを引き下げる。そうすると、図８（Ｃ）に示すように、連動部材２６が上方にスライドし、連動部材２６が連動孔２６ａを介して突出片３２ｄを押上げるため、フック部材３２が上方へと移動する。この際、フック部材３２の下端側のガイドピン５１をガイドする長孔３７は連動部材２６のスライド方向と平行する上下方向に沿って延在する一方、フック部材３２の上端側のガイドピン５０をガイドする長孔３６は長孔３７の延在方向と交差する斜め方向に延在している。つまり、各ガイドピン５０，５１の長孔３６，３７による摺動方向が互いに交差している。
【００５３】
従って、フック部材３２は、ガイドピン５０が設けられた上端側が長孔３６に沿って室内側へと移動しながら上動するため、図８（Ｃ）に示すように図中で下端側のガイドピン５１を回動軸として時計回り方向に回動しながら上動し、ロック位置となる（図５（Ｂ）も参照）。つまり、フック部材３２がそのロック凹部３２ｃでベース部材２８のロック凹部２８ｄ内に配置されている受け部材２２の受けピン６０を収容して抜け止めすると同時に、爪部３２ｂで受けピン６０を室内側に引き寄せることで、ロック装置１０はロック状態となる。その結果、障子１６が受けピン６０を介してフック部材３２によって室内側へと引き寄せられて確実に閉じられた状態でロックされ、ロック装置１０によって開閉が阻止される。
【００５４】
なお、ロック装置１０のロック状態を解除する際は上記と逆の手順が行われる。すなわち、ロック操作部２０の操作レバー２０ａを引き上げると、今度は連動部材２６が下方にスライドし、フック部材３２が図８（Ｂ）及び図８（Ｃ）に示すように図中で下端側のガイドピン５１を回動軸として反時計回り方向に回動しながら下動する。その結果、再びフック部材３２がロック解除位置となり受けピン６０のロック凹部２８ｄからの離脱が許容されるため、障子１６を開き操作することができる（図８（Ａ）参照）。
【００５５】
以上のように、本実施形態に係るロック装置１０は、開口枠１４に対して取り付けされるベース部材２８と、ベース部材２８に対して移動可能に支持され、障子１６の戸先框１６ｃに固定された受け部材２２の受けピン６０と係合可能なフック部材３２と、開口枠１４に対してスライド可能に支持され、開口枠１４に設けられたロック操作部２０の操作力を受けてスライドすることでフック部材３２を移動させる連動部材２６とを備える。この際、ベース部材２８は、フック部材３２の移動方向で一端側及び他端側に設けられた一対のガイドピン５０，５１がそれぞれ摺動可能に挿入される一対の長孔３６，３７を有し、長孔３６は、ガイドピン５０の摺動始点３６ｂと摺動終点３７ｂの位置が見込み方向で位置ずれしている。
【００５６】
これにより、ロック装置１０では、フック部材３２が長孔３７に挿入されたガイドピン５１を中心として回動しながら連動部材２６のスライド方向へと移動する。このため、フック部材３２に設けたガイドピン５０，５１をガイドする長孔３６，３７をベース部材２８に設けた簡素な構造で障子１６を引き寄せながらロックすることができる、コストを低減できる。しかも、フック部材３２をベース部材２８で支持し、連動部材２６を開口枠１４で支持する構成としたため、ベース部材２８及びフック部材３２の取付位置の調整をロック操作部２０に対しての位置決めが必要な連動部材２６とは別に行うことができ、施工作業が容易となる。
【００５７】
ロック装置１０では、ベース部材２８を樹脂成形品で形成しているため、成形性がよく、また長孔３６，３７の周縁部とガイドピン５０，５１との摺接が円滑になると同時に摺接時の騒音の発生を抑制することができ、製品品質が高い。
【００５８】
ロック装置１０では、さらに、このような樹脂製のベース部材２８の一部を覆うと共に、少なくとも一方の長孔３６を縁取る開口部４２を有する金属製のカバー部材３０を設けている。これにより、ロック装置１０で障子１６をロックした状態で障子１６に対し、例えば開き方向（面外方向）の外力が付与され、樹脂製の長孔３６の周縁部に対してガイドピン５０が強く押し付けられた場合であっても、金属製のカバー部材３０の開口部４２によって長孔３６のリブ３６ａを補強支持し、ガイドピン５０を支持することができる。このため、上記のような開き方向の外力が障子１６に付与された場合であっても、ロック装置１０が破損して意図せずにロックが解除されることを防止できる。
【００５９】
なお、当該ロック装置１０では、他方の長孔３７の上端側（摺動終点３７ｃ近傍）に対してもカバー部材３０の切欠部４６が隣接配置される。このため、ガイドピン５１が長孔３７の上端に位置しているロック状態では、この他方の長孔３７についても金属製の切欠部４６によって補強されている。
【００６０】
ロック装置１０では、受け部材２２と並んで障子１６の戸先框１６ｃに固定された係合金具２４の係合片２４ｃが係合可能な凹部４４をカバー部材３０の膨出部３０ｅを用いて形成しており、障子１６が閉じられた際には必ず係合片２４ｃが凹部４４に係合した状態となる。その結果、例えば閉じられた障子１６に面内方向の外力が付与された場合であっても、金属製の係合片２４ｃを凹部４４を形成する金属製の膨出部３０ｅで支持しておくことができ、高い防犯性能を有する。他方、当該建具１２が例えば高層階の窓等に使用され、室外からの防犯性能を担保する必要がない場合等には、障子１４側の係合金具２４を省略してコストを低減することもできる。換言すれば、当該ロック装置１０は、その使用環境や顧客の要求等に応じて係合金具２４を設置するだけでその防犯性能を高めることができ、汎用性が高い。
【００６１】
当該ロック装置１０において、ベース部材２８は、開口枠１４に対する見込み方向の取付位置を調整可能な取付孔３４（４０）を用いて開口枠１４に対してねじ止め固定される。これにより、障子１６側の受けピン６０とロック装置１０との間の見込み方向での位置調整を容易に行うことができる。しかも、図１に示すような室外側に障子１６が開く建具１２では、施工現場で障子１６の戸先框１６ｃに設けた受け部材２２の位置調整を行うことは、その取付部を視認することが難しく、開口枠１４を通して室外側に腕を伸ばして行う必要があって作業性が悪い。これに対し、当該ロック装置１０は、室内側からの取付作業が容易な開口枠１４に対する位置調整を行うことができるため、施工現場での位置調整が容易である。
【００６２】
そこで、ロック装置１０では、連動部材２６は、ベース部材２８とは別体で開口枠１４に対して支持され、フック部材３２はその突出片３２ｄが連動部材２６の連動孔２６ａに差し込まれることで、連動部材２６に対して見込み方向に相対移動可能な状態で連結されている。このため、上記のようなベース部材２８の見込み方向の位置調整時に連動部材２６とフック部材３２との間の連結状態が障害になることがない。
【００６３】
なお、本発明は、上記した実施形態に限定されるものではなく、本発明の主旨を逸脱しない範囲で自由に変更できることは勿論である。
【００６４】
例えば上記実施形態では、ロック装置１０を開口枠１４側に設け、受け部材２２（及び係合金具２４）を障子１６側に設けた構成を例示したが、ロック装置１０を障子１６の戸先框１６ｃに設け、受け部材２２（及び係合金具２４）を開口枠１４に設けてもよい。
【００６５】
上記実施形態では、一方の長孔３６の摺動始点３６ｂと摺動終点３６ｃの位置を見込み方向で位置ずれさせることでフック部材３２を回動させつつ移動させる構成としたが、一方の長孔３６については上下方向に沿った直線形状とし、他方の長孔３７の摺動始点３７ｂと摺動終点３７ｃの位置を見込み方向で位置ずれさせた構成としてもよい。さらには両長孔３６，３７の摺動始点３６ｂ，３７ｂと摺動終点３６ｃ，３７ｃの位置をいずれも見込み方向で位置ずれさせた構成としてもよい。
【００６６】
また上記実施形態では、ベース部材２８に長孔３６，３７を設け、フック部材３２にガイドピン５０，５１を設けた構成としたが、これら長孔３６，３７及びガイドピン５０，５１は、連動部材によってフック部材を移動させるに際し、一方のガイドピンを中心として回動させながら連動部材のスライド方向へと移動させることができれば、ベース部材及びフック部材のいずれかに設けられていればよい。
【００６７】
例えば図９（Ｃ）に示すロック装置１０Ａのように、表面にガイドピン５０，５１を突設させたベース部材７０（及びカバー部材７２）（図９（Ａ）参照）と、支持板部３２ａに長孔３６を設け、支持板部３２ａの下方から突出させた突出部７４に長孔３７を設けたフック部材７６（図９（Ｂ）参照）とを備えた構成としてもよい。また例えば図１０（Ｃ）に示すロック装置１０Ｂのように、表面上部にガイドピン５０を突設させ、その下部に長孔３７を設けたベース部材８０（及びカバー部材７２）（図１０（Ａ）参照）と、支持板部３２ａに長孔３６を設け、その下部にガイドピン５１を設けたフック部材８２（図１０（Ｂ）参照）とを備えた構成としてもよい。さらに例えば図１１（Ｃ）に示すロック装置１０Ｃのように、表面上部に長孔３６を設け、その下部にガイドピン５１を突設させたベース部材９０（及びカバー部材７２）（図１１（Ａ）参照）と、支持板部３２ａにガイドピン５０を設け、その下部の突出部７４に長孔３７を設けたフック部材９２（図１１（Ｂ）参照）とを備えた構成としてもよい。これらロック装置１０Ａ〜１０Ｃにおいても、ロック装置１０と同様にフック部材７６，８２，９２を動作させることができる。
【符号の説明】
【００６８】
１０，１０Ａ〜１０Ｃ  ロック装置、１２  建具、１４  開口枠、１４ａ  上枠、１４ｂ  下枠、１４ｃ，１４ｄ  縦枠、１６  障子、１６ａ  上框、１６ｂ  下框、１６ｃ  戸先框、１６ｄ  吊元框、２０  ロック操作部、２０ａ  操作レバー、２２  受け部材、２４  係合金具、２４ｃ  係合片、２６  連動部材、２６ａ  連動孔、２８，７０，８０，９０  ベース部材、２８ｄ，３２ｃ  ロック凹部、２８ｅ，４６  切欠部、３０，７２  カバー部材、３０ｄ  カバー凹部、３０ｅ  膨出部、３２，７６，８２，９２  フック部材、３２ｄ  突出片、３４，４０  取付孔、３６，３７  長孔、３６ａ，３７ａ  リブ、３６ｂ，３７ｂ  摺動始点、３６ｃ，３７ｃ  摺動終点、４２  開口部、４４  凹部、５０，５１  ガイドピン、５９  ポケット部、６０  受けピン
【図１】
0006433833.tif 000002
【図２】
0006433833.tif 000003
【図３】
0006433833.tif 000004
【図４】
0006433833.tif 000005
【図５】
0006433833.tif 000006
【図６】
0006433833.tif 000007
【図７】
0006433833.tif 000008
【図８】
0006433833.tif 000009
【図９】
0006433833.tif 000010
【図１０】
0006433833.tif 000011
【図１１】
0006433833.tif 000012